(57)【要約】【課題】画像の名称あるいは番号の参照機能を備え、あるいは画像内容の簡単な識別機能を備え、さらに画像データのフォーマット変換機能を備えてデータ利用範囲の拡大と所要記憶容量の削減が可能な画像蓄積通信装置、画像読取装置及び画像データ通信方法を提供する。【解決手段】画像データが入力される画像入力装置１と、前記画像データ（入力画像データ）の内容について識別可能な識別データを作成するデータ作成手段と、前記識別データ及び前記入力画像データに基づいた記憶画像データを記憶する記憶装置４と、外部に接続されたデータ受信装置からの要求信号を受信し、あるいは該データ受信装置にデータを送信する外部Ｉ／Ｆ装置５とを備える画像蓄積通信装置（画像入出力装置１０）であって、前記データ受信装置からの要求信号に基づいて指定される識別データまたは記憶画像データが記憶装置４から読み出され、該データ受信装置へ送信される。【選択図】図１
2004297834.tif 000002
【特許請求の範囲】
【請求項１】
画像データが入力される画像入力手段と、
前記画像データ（入力画像データ）の内容について識別可能な識別データを作成するデータ作成手段と、
前記識別データ及び前記入力画像データに基づいた記憶画像データを記憶する記憶手段と、
外部に接続されたデータ受信装置からの要求信号を受信し、あるいは該データ受信装置にデータを送信する送受信手段とを備える画像蓄積通信装置であって、
前記データ受信装置からの要求信号に基づいて指定される識別データまたは記憶画像データが前記記憶手段から読み出され、該データ受信装置へ送信されることを特徴とする画像蓄積通信装置。
【請求項２】
前記識別データは、前記入力画像データに基づいて作成されるサムネイルデータであることを特徴とする請求項１に記載の画像蓄積通信装置。
【請求項３】
前記サムネイルデータは、前記入力画像データに基づいて１対１で作成されたものの一覧データであることを特徴とする請求項２に記載の画像蓄積通信装置。
【請求項４】
前記入力画像データについて識別するための特定情報を利用者が入力するデータ入力手段と、該特定情報を前記入力画像データに付加して記憶画像データとする入力データ処理手段とを備え、
前記特定情報が指定されると該当する記憶画像データが前記記憶手段から読み出されることを特徴とする請求項１に記載の画像蓄積通信装置。
【請求項５】
前記識別データは、前記特定情報の一覧データであることを特徴とする請求項４に記載の画像蓄積通信装置。
【請求項６】
前記記憶画像データは、入力画像データがＯＣＲ処理された文字データであることを特徴とする請求項１に記載の画像蓄積通信装置。
【請求項７】
前記画像入力手段は、原稿読取装置であることを特徴とする請求項１に記載の画像蓄積通信装置。
【請求項８】
原稿を画像として読み取り、その画像データを出力する画像読取手段と、
前記画像データ（入力画像データ）の内容について識別可能な識別データを作成するデータ作成手段と、
前記識別データ及び前記入力画像データに基づいた記憶画像データを記憶する記憶手段と、
外部に接続されたデータ受信装置からの要求信号を受信し、あるいは該データ受信装置にデータを送信する送受信手段とを備える画像読取装置であって、
前記データ受信装置からの要求信号に基づいて指定される識別データまたは記憶画像データが前記記憶手段から読み出され、該データ受信装置へ送信されることを特徴とする画像読取装置。
【請求項９】
前記識別データは、前記入力画像データに基づいて作成されるサムネイルデータであることを特徴とする請求項８に記載の画像読取装置。
【請求項１０】
前記サムネイルデータは、前記入力画像データに基づいて１対１で作成されたものの一覧データであることを特徴とする請求項９に記載の画像読取装置。
【請求項１１】
前記入力画像データについて識別するための特定情報を利用者が入力するデータ入力手段と、該特定情報を前記入力画像データに付加して記憶画像データとする入力データ処理手段とを備え、
前記特定情報が指定されると該当する記憶画像データが前記記憶手段から読み出されることを特徴とする請求項８に記載の画像読取装置。
【請求項１２】
前記識別データは、前記特定情報の一覧データであることを特徴とする請求項１１に記載の画像読取装置。
【請求項１３】
前記記憶画像データは、入力画像データがＯＣＲ処理された文字データであることを特徴とする請求項８に記載の画像読取装置。
【請求項１４】
入力される画像データ（入力画像データ）の内容について識別可能な識別データが作成されるデータ作成工程と、
前記識別データ及び前記入力画像データに基づいた記憶画像データが記憶される記憶工程と、
ネットワークを介した外部装置であるデータ受信装置からの要求信号が受信され、該要求信号に基づいて指定される識別データが読み出され、該データ受信装置へ送信される第１通信工程と、
前記第１通信工程で送信された識別データに基づいた前記データ受信装置からの要求信号が受信され、該要求信号に基づいて指定される記憶画像データが読み出され、該データ受信装置へ送信される第２通信工程とを備えることを特徴とする画像データ通信方法。
【請求項１５】
前記識別データは、前記入力画像データに基づいて作成されるサムネイルデータであることを特徴とする請求項１４に記載の画像データ通信方法。
【請求項１６】
前記サムネイルデータは、前記入力画像データに基づいて１対１で作成されたものの一覧データであることを特徴とする請求項１５に記載の画像データ通信方法。
【請求項１７】
前記入力画像データについて識別するための特定情報が利用者により入力されるデータ入力工程と、該特定情報が前記入力画像データに付加されて記憶画像データとされる入力データ処理工程とを備え、
前記第２通信工程でデータ受信装置の要求信号により前記特定情報が指定されると該当する記憶画像データが読み出されることを特徴とする請求項１４に記載の画像データ通信方法。
【請求項１８】
前記識別データは、前記特定情報の一覧データであることを特徴とする請求項１７に記載の画像データ通信方法。
【請求項１９】
前記記憶画像データは、入力画像データがＯＣＲ処理された文字データであることを特徴とする請求項１４に記載の画像データ通信方法。
【請求項２０】
前記入力画像データは、原稿読取装置により読み取られた原稿の画像データであることを特徴とする請求項１４に記載の画像データ通信方法。
【発明の詳細な説明】
【技術分野】
【０００１】
本発明は、画像入出力装置に関し、とりわけスキャナ装置、デジタル複写装置、ファイリングシステム、ＷＷＷサーバ、画像データベースシステムなどに適用可能な画像蓄積通信装置、画像読取装置、画像データ通信方法に関するものである。
【背景技術】
【０００２】
画像原稿の読取りと、読取った画像データの内蔵する記憶装置への蓄積が可能な画像入出力装置は、外部に接続されているファイルサーバあるいはクライアントマシンであるデータ受信装置を介しての利用者からの要求に基づいて、記憶している画像データを記憶装置から取りだし、これをデータ受信装置に送付する機能を有している。
【０００３】
そして、このような構成の従来の画像入出力装置では、記憶蓄積している画像データの特定を容易とするために、その画像データに関する名称あるいは番号を、その画像データに付加して共に記憶装置へ蓄積する機能を備えている。
【０００４】
さらに、付加すべき前記の名称あるいは番号を指定入力させるための、操作パネルなどを備えて構成されている。
【発明の開示】
【発明が解決しようとする課題】
【０００５】
しかしながら、前記のような従来の構成の画像入出力装置では、記憶蓄積している画像データの件数が増加するにつれて、管理が容易でなくなるという問題があった。とりわけ、画像データの件数が増加して名称あるいは番号を混同し、または名称あるいは番号を忘れたような場合に、対応が困難になるという問題があった。
【０００６】
本発明は、前記のような従来技術における問題点を解決するためなされたもので、画像の名称あるいは番号の参照機能を備え、あるいは画像内容の簡単な識別機能を備え、さらに画像データのフォーマット変換機能を備えてデータ利用範囲の拡大と所要記憶容量の削減が可能な画像蓄積通信装置、画像読取装置及び画像データ通信方法を提供することを目的とする。
【課題を解決するための手段】
【０００７】
前記課題を解決するため本発明の請求項１に係る画像蓄積通信装置は、画像データが入力される画像入力手段と、前記画像データ（入力画像データ）の内容について識別可能な識別データを作成するデータ作成手段と、前記識別データ及び前記入力画像データに基づいた記憶画像データを記憶する記憶手段と、外部に接続されたデータ受信装置からの要求信号を受信し、あるいは該データ受信装置にデータを送信する送受信手段とを備える画像蓄積通信装置であって、前記データ受信装置からの要求信号に基づいて指定される識別データまたは記憶画像データが前記記憶手段から読み出され、該データ受信装置へ送信されることを特徴とする。
【０００８】
ここで、画像蓄積通信装置は画像入出力装置の一種であり、その適用例としては、ファイリングシステム、ＷＷＷサーバ、画像データベースシステムなどが挙げられる。
【０００９】
また、本発明の請求項２に係る画像蓄積通信装置は、請求項１に記載の画像蓄積通信装置において、前記識別データは、前記入力画像データに基づいて作成されるサムネイルデータであることを特徴とする。
【００１０】
また、本発明の請求項３に係る画像蓄積通信装置は、請求項２に記載の画像蓄積通信装置において、前記サムネイルデータは、前記入力画像データに基づいて１対１で作成されたものの一覧データであることを特徴とする。
【００１１】
また、本発明の請求項４に係る画像蓄積通信装置は、請求項１に記載の画像蓄積通信装置において、前記入力画像データについて識別するための特定情報を利用者が入力するデータ入力手段と、該特定情報を前記入力画像データに付加して記憶画像データとする入力データ処理手段とを備え、前記特定情報が指定されると該当する記憶画像データが前記記憶手段から読み出されることを特徴とする。
ここで、特定情報とは、例えば画像データの名称あるいは番号データである。
【００１２】
また、本発明の請求項５に係る画像蓄積通信装置は、請求項４に記載の画像蓄積通信装置において、前記識別データは、前記特定情報の一覧データであることを特徴とする。
【００１３】
また、本発明の請求項６に係る画像蓄積通信装置は、請求項１に記載の画像蓄積通信装置において、前記記憶画像データは、入力画像データがＯＣＲ処理された文字データであることを特徴とする。
【００１４】
また、本発明の請求項７に係る画像蓄積通信装置は、請求項１に記載の画像蓄積通信装置において、前記画像入力手段は、原稿読取装置であることを特徴とする。
【００１５】
前記課題を解決するため本発明の請求項８に係る画像読取装置は、原稿を画像として読み取り、その画像データを出力する画像読取手段と、前記画像データ（入力画像データ）の内容について識別可能な識別データを作成するデータ作成手段と、前記識別データ及び前記入力画像データに基づいた記憶画像データを記憶する記憶手段と、外部に接続されたデータ受信装置からの要求信号を受信し、あるいは該データ受信装置にデータを送信する送受信手段とを備える画像読取装置であって、前記データ受信装置からの要求信号に基づいて指定される識別データまたは記憶画像データが前記記憶手段から読み出され、該データ受信装置へ送信されることを特徴とする。
【００１６】
ここで、画像読取装置は画像入出力装置の一種であり、その適用例としては、スキャナ装置、デジタル複写装置などが挙げられる。
【００１７】
また、本発明の請求項９に係る画像読取装置は、請求項８に記載の画像読取装置において、前記識別データは、前記入力画像データに基づいて作成されるサムネイルデータであることを特徴とする。
【００１８】
また、本発明の請求項１０に係る画像読取装置は、請求項９に記載の画像読取装置において、前記サムネイルデータは、前記入力画像データに基づいて１対１で作成されたものの一覧データであることを特徴とする。
【００１９】
また、本発明の請求項１１に係る画像読取装置は、請求項８に記載の画像読取装置において、前記入力画像データについて識別するための特定情報を利用者が入力するデータ入力手段と、該特定情報を前記入力画像データに付加して記憶画像データとする入力データ処理手段とを備え、前記特定情報が指定されると該当する記憶画像データが前記記憶手段から読み出されることを特徴とする。
【００２０】
また、本発明の請求項１２に係る画像読取装置は、請求項１１に記載の画像読取装置において、前記識別データは、前記特定情報の一覧データであることを特徴とする。
【００２１】
また、本発明の請求項１３に係る画像読取装置は、請求項８に記載の画像読取装置において、前記記憶画像データは、入力画像データがＯＣＲ処理された文字データであることを特徴とする。
【００２２】
前記課題を解決するため本発明の請求項１４に係る画像データ通信方法は、入力される画像データ（入力画像データ）の内容について識別可能な識別データが作成されるデータ作成工程と、前記識別データ及び前記入力画像データに基づいた記憶画像データが記憶される記憶工程と、ネットワークを介した外部装置であるデータ受信装置からの要求信号が受信され、該要求信号に基づいて指定される識別データが読み出され、該データ受信装置へ送信される第１通信工程と、前記第１通信工程で送信された識別データに基づいた前記データ受信装置からの要求信号が受信され、該要求信号に基づいて指定される記憶画像データが読み出され、該データ受信装置へ送信される第２通信工程とを備えることを特徴とする。
【００２３】
ここで、画像データ通信方法は、ファイリングシステム、ＷＷＷサーバ、画像データベースシステム、スキャナ装置、デジタル複写装置などの画像入出力装置に適用可能である。
【００２４】
また、本発明の請求項１５に係る画像データ通信方法は、請求項１４に記載の画像データ通信方法において、前記識別データは、前記入力画像データに基づいて作成されるサムネイルデータであることを特徴とする。
【００２５】
また、本発明の請求項１６に係る画像データ通信方法は、請求項１５に記載の画像データ通信方法において、前記サムネイルデータは、前記入力画像データに基づいて１対１で作成されたものの一覧データであることを特徴とする。
【００２６】
また、本発明の請求項１７に係る画像データ通信方法は、請求項１４に記載の画像データ通信方法において、前記入力画像データについて識別するための特定情報が利用者により入力されるデータ入力工程と、該特定情報が前記入力画像データに付加されて記憶画像データとされる入力データ処理工程とを備え、
前記第２通信工程でデータ受信装置の要求信号により前記特定情報が指定されると該当する記憶画像データが読み出されることを特徴とする。
【００２７】
また、本発明の請求項１８に係る画像データ通信方法は、請求項１７に記載の画像データ通信方法において、前記識別データは、前記特定情報の一覧データであることを特徴とする。
【００２８】
また、本発明の請求項１９に係る画像データ通信方法は、請求項１４に記載の画像データ通信方法において、前記記憶画像データは、入力画像データがＯＣＲ処理された文字データであることを特徴とする。
【００２９】
また、本発明の請求項２０に係る画像データ通信方法は、請求項１４に記載の画像データ通信方法において、前記入力画像データは、原稿読取装置により読み取られた原稿の画像データであることを特徴とする。
【発明の効果】
【００３０】
本発明の画像蓄積通信装置や画像読取装置によれば、識別データ（サムネイルデータ、入力画像データについての特定情報の一覧データ）により、ネットワークを介したデータ受信装置から画像内容の識別ができるため、画像データの管理が容易となり、データ受信装置で本来必要とする画像データが選択できる画像入出力装置が提供できるようになる。また、画像データのフォーマット変換機能を備えてデータ利用範囲の拡大と所要記憶容量の削減が可能となる。
また、本発明の画像データ通信方法によれば、識別データ（サムネイルデータ、入力画像データについての特定情報の一覧データ）により、ネットワーク上で画像内容の識別ができるため、画像データの管理が容易となり、ネットワーク上で本来必要とする画像データが選択できるようになる。また、画像データのフォーマット変換機能を備えてデータ利用範囲の拡大と所要記憶容量の削減が可能となる。
【００３１】
すなわち、本発明の構成によれば、画像データに付加された名称あるいは番号を利用者が忘れた際でも、データ受信装置（ファイルサーバあるいはクライアントマシン）側で記憶装置に蓄積されている画像データのサムネイルデータを見ることによって、本来必要とする画像データの選択が容易になる。また、あらかじめ装置側で画像データのサムネイルデータが作成且つ記憶される事により、データ受信装置側でそれらの処理を行う必要がなくなり、よってデータ受信装置側の負荷が軽減される。
また、本発明の構成によれば、画像データに付加された名称あるいは番号を利用者が忘れた際でも、データ受信装置（ファイルサーバあるいはクライアントマシン）側で記憶装置に蓄積されている画像データの名称一覧データを見て、本来必要とする画像データが選択できるようになる。また、あらかじめ装置側で名称一覧データを作成且つ記憶される事により、データ受信装置側でそれらの処理を行う必要が無く、よってデータ受信装置側の負荷が軽減される。
また、本発明の構成によれば、画像データをＯＣＲ処理して文字データに変換したい場合に、あらかじめ装置側で画像データをＯＣＲ処理して文字データに変換したデータを記憶される事により、利用者が画像データをＯＣＲ処理して文字データに変換したい揚合にこれを読出して直ちに利用することができる。よって、データ受信装置（ファイルサーバあるいはクライアントマシン）側でそれらの処理を行う必要が無くなり、データ受信装置側の負荷が軽減される。また、画像データに比べてＯＣＲ処理された文字データはデータ量が小さいため、送受信の応答性能が向上する。
【発明を実施するための最良の形態】
【００３２】
以下、この発明の実施の形態を説明する。図１は、本発明に係る画像入出力装置の一実施形態の構成を示すブロック構成図である。また図２は、図１に示されるシステムコントローラ部の構成を示すブロック図である。
【００３３】
図１に示されるように、本発明に係る画像入出力装置１０は、原稿などの画像の読み取りが可能な画像入力装置１と、読み取った画像データに付加される名称あるいは番号のデータ入力を可能にする、操作バネル等のデータ入力装置３と、名称あるいは番号のデータが付加された画像データの蓄積が可能な記憶装置４と、外部のデータ受信装置とネットワーク等により外部接続するバス・インターフェイス制御を司る外部Ｉ／Ｆ装置（外部インタフェース装置）５と、システムコントローラ部２とを具備する。
【００３４】
本発明に係る画像蓄積通信装置は、画像入出力装置の一態様であり、画像データが入力される画像入力手段（画像入力装置１）と、前記画像データ（入力画像データ）の内容について識別可能な識別データ（利用者入力特定情報一覧データ、サムネイルデータ）を作成する、名称一覧データ作成手段２Ｅ、サムネイルデータ作成手段２Ｆからなるデータ作成手段と、前記識別データ及び前記入力画像データに基づいた記憶画像データ（利用者入力特定情報が付加された入力画像データ、ＯＣＲ処理された文字データ）を記憶する記憶手段（記憶装置４）と、外部に接続されたデータ受信装置からの要求信号を受信し、あるいは該データ受信装置にデータを送信する送受信手段（外部Ｉ／Ｆ装置５）とを備え、前記データ受信装置からの要求信号に基づいて指定される識別データまたは記憶画像データが記憶手段（記憶装置４）から読み出され、該データ受信装置へ送信されることを特徴とするものである。
【００３５】
本発明に係る画像読取装置は、画像入出力装置の一態様であり、原稿を画像として読み取り、その画像データを出力する画像読取手段（画像入力装置１）と、前記画像データ（入力画像データ）の内容について識別可能な識別データ（利用者入力特定情報一覧データ、サムネイルデータ）を作成する、名称一覧データ作成手段２Ｅ、サムネイルデータ作成手段２Ｆからなるデータ作成手段と、前記識別データ及び前記入力画像データに基づいた記憶画像データ（利用者入力特定情報が付加された入力画像データ、ＯＣＲ処理された文字データ）を記憶する記憶手段（記憶装置４）と、外部に接続されたデータ受信装置からの要求信号を受信し、あるいは該データ受信装置にデータを送信する送受信手段（外部Ｉ／Ｆ装置５）とを備え、前記データ受信装置からの要求信号に基づいて指定される識別データまたは記憶画像データが記憶手段（記憶装置４）から読み出され、該データ受信装置へ送信されることを特徴とするものである。
【００３６】
画像入力装置１は、原稿を読み取る装置であり、読み取った画像データをシステムコントロータ部２へ送ることができる。
【００３７】
データ入力装置３は、操作パネルなどにより構成され、利用者が操作パネルなどから画像データの名称あるいは番号データを入力すると、これら入力データをシステムコントローラ部２へ送る。
【００３８】
記憶装置４は、原稿を読み取った画像データ、後述のサムネイルデータ作成手段によって作成されたサムネイルデータやＯＣＲ処理手段２ＧによってＯＣＲ処理され、フォーマット変換された変換データ、画像データの転送先情報などのデータ、諸設定値、プログラムなどを記憶することができる装置であり、ハードディスク装置や揮発性／不揮発性メモリ装置が適用される。
【００３９】
外部Ｉ／Ｆ装置（外部Ｉ／Ｆ部）５は、外部のデータ受信装置であるファイルサーバ、あるいはクライアントマシンとネットワークを介して、要求受信信号５ａを受取り、またデータ出力信号５ｂをファイルサーバ、あるいはクライアントマシンに送付する。
【００４０】
システムコントローラ部２は、システム全体をコントロールする部分であり、図２に示されるように、全体制御手段２Ａ、要求受信および処理手段２Ｂ、入力データ処理手段２Ｃ、記憶データ処理手段２Ｄ、名称一覧データ作成手段２Ｅ、サムネイルデータ作成手段２Ｆ、ＯＣＲ処理手段２Ｇを具備して構成される。全体制御手段２Ａは、システム全体の制御を実行する。
【００４１】
要求受信および処理手段２Ｂは、データ受信装置（ファイルサーバ、あるいはクライアントマシン）から送られた要求にかかわる信号５ａを、外部Ｉ／Ｆ部５を通して受信し、また外部Ｉ／Ｆ部５を通してデータ受信装置にデータ５ｂを転送する。
【００４２】
データ受信装置から送られる要求信号５ａが、記憶装置４に蓄積されている画像データの取り込みを要求する信号であるときには、記憶データ処理手段２Ｄを駆動して画像データを記憶装置４から読みだし、これをデータ５ｂとして外部Ｉ／Ｆ部５を通してデータ受信装置に転送する。
【００４３】
データ受信装置から送られる要求信号５ａが、記憶装置４に蓄積されている名称一覧データを要求する信号であるときには、記憶データ処理手段２Ｄを駆動して名称一覧データを記憶装置４から読みだし、これをデータ５ｂとして外部Ｉ／Ｆ部５を通してデータ受信装置に転送する。
【００４４】
また、要求受信および処理手段２Ｂは、データ受信装置から送られる要求信号５ａが、記憶装置４に蓄積されているサムネイルデータを要求する信号であるときには、記憶データ処理手段２Ｄを駆動してサムネイルデータを記憶装置４から読みだし、これをデータ５ｂとして外部Ｉ／Ｆ部５を通してデータ受信装置に転送する。
【００４５】
さらに、要求受信および処理手段２Ｂは、データ受信装置から送られる要求信号５ａが、記憶装置４に蓄積されている、ＯＣＲ処理によってフォーマット変換された変換データを要求する信号であるときには、記憶データ処理手段２Ｄを駆動して変換データを記憶装置４から読みだし、これをデータ５ｂとして外部Ｉ／Ｆ部５を通してデータ受信装置に転送する。
【００４６】
入力データ処理手段２Ｃは、利用者等がデータ入力装置３から入力した名称あるいは番号データを受理し、この入力された名称あるいは番号のデータを画像データに付加する。あるいは、受理した名称あるいは番号のデータを、名称一覧データ作成手段２Ｅに送る。
【００４７】
記憶データ処理手段２Ｄは、入力データ処理手段２Ｃによって付加された、名称あるいは番号付きの画像データを記憶装置４に送り、記憶させる。そしてデータ受信装置（ファイルサーバ、あるいはクライアントマシン）から名称あるいは番号で指定された画像データを、記憶装置４から読みだして、要求受信および処理手段２Ｂに渡す。
【００４８】
また、記憶データ処理手段２Ｄは、名称一覧データ作成手段２Ｅによって作成された名称一覧データを受けて、これを記憶装置４に送って記憶させる。そして要求受信および処理手段２Ｂからの指示に基づき、記憶されている、名称一覧データを記憶装置４から読みだして、要求受信および処理手段２Ｂに渡す。
【００４９】
あるいは、記憶データ処理手段２Ｄは、サムネイルデータ作成手段２Ｆによって作成されたサムネイルデータを受けて、これを記憶装置４に送り、記憶させる。そして要求受信および処理手段２Ｂからの指示に基づき、記憶されている、サムネイルデータを記憶装置４から読みだして、要求受信および処理手段２Ｂに渡す。
【００５０】
さらにまた、記憶データ処理手段２Ｄは、ＯＣＲ処理手段２ＧによってＯＣＲ処理され、フォーマット変換された変換データを受けて、これを記憶装置４に送り、記憶させる。そして要求受信および処理手段２Ｂからの指示に基づき、記憶されている、変換データを記憶装置４から読みだして、要求受信および処理手段２Ｂに渡す。
【００５１】
名称一覧データ作成手段２Ｅは、入力データ処理手段２Ｃから送られた、名称あるいは番号データを集積し、さらにこれをソート処理して、名称一覧データを編成する。ついでこの名称一覧データを、記憶データ処理手段２Ｄに送り、記憶装置４に記憶させる。
【００５２】
サムネイルデータ作成手段２Ｆは、画像データに基づき、その画像の一覧部分であるサムネイルデータを作成する。ついでこのサムネイルデータを、記憶データ処理手段２Ｄに送り、記憶装置４に記憶させる。
【００５３】
ＯＣＲ処理手段２Ｇは、画像入力装置１から得られる画像データに基づき、ＯＣＲ処理を施して文宇データとし、変換データを作成する。ついでこの変換データを、記憶データ処理手段２Ｄに送り、記憶装置４に記憶させる。
【００５４】
次に、図３の処理フローチャートを用いて本発明の画像入出力装置の動作について説明する。本発明の画像入出力装置は、起動後に初期設定がなされ（ステップＳ１）、初期設定の後、原稿読み取り開始待ち／データ受信装置からの情報転送要求待ちの状態となる（ステップＳ２）。
【００５５】
ここで原稿が画像入力装置にセットされ、自動もしくは操作バネル等のデータ入力装置からのスタートキーにより、原稿の読み取りが開始され、画像データが取り込まれる（ステップＳ３）。
【００５６】
データ入力装置から名称あるいは番号が入力されると（ステップＳ４）、記憶装置に記憶されている画像データに名称あるいは番号データが付加されて記憶される。
【００５７】
また、付加データとして、名称一覧データや、サムネイルデータ、ならびにＯＣＲ処理された文字データも作成され（ステップＳ５）、記憶装置に蓄積される（ステップＳ６）。この後、ステップＳ２に戻り、再び原稿読み取り開始待ち／データ受信装置からの情報転送要求待ちの状態となる。
【００５８】
ここで、データ受信装置から情報転送要求（画像データ／名称一覧データ／サムネイルデータ／文字データの転送要求）を受けると、指定された情報（画像データ／名称一覧データ／サムネイルデータ／文字データ）をデータ受信装置に転送する（ステップＳ７）。
【図面の簡単な説明】
【００５９】
【図１】本発明の一実施形態である画像入出力装置の構成を示すブロック構成図である。
【図２】図１に示されたシステムコントローラ部の構成を示すブロック図である。
【図３】図１に示された画像入出力装置の動作フローチャートである。
【符号の説明】
【００６０】
１    画像入力装置
２    システムコントローラ部
２Ａ    全体制御手段
２Ｂ    要求受信および処理手段
２Ｃ    入力データ処理手段
２Ｄ    記憶データ処理手段
２Ｅ    名称一覧データ作成手段
２Ｆ    サムネイルデータ作成手段
２Ｇ    ＯＣＲ処理手段
３    データ入力装置
４    記憶装置
５    外部インタフェース装置（外部Ｉ／Ｆ部）
５ａ    要求受信信号
５ｂ    データ出力信号
１０    画像入出力装置
【図１】
2004297834.tif 000003
【図２】
2004297834.tif 000004
【図３】
2004297834.tif 000005